(57)【特許請求の範囲】
【請求項１】
ダルマの回転力を直線運動に変換する動力変換部材を構成する制御レバーの下端部に形成した係合制御部（２４）に、その中央部が第２固定軸（１２）に軸支され、該中央部から上向きの人差し指に相当する部分が第１係合部（１３ｂ）であり、一方、前記第１係合部に対して所定の角度開いた親指に相当する部分が第２係合部（１３ａ）であるハンドルロック部材（１３）の前記第１係合部を係合させ、
また前記制御レバーの下端部に形成した係合突起（２６）を、ロック状態解消維持片（３１）を錠箱のフロント方向へ常時付勢するように第３固定軸（４２）とロック解除レバー（４１）を介して間接的に設けられ、或いはロック状態解消維持片側に直接的に設けられたかのいずれかである復帰バネ（３６）のバネ力により施錠位置に戻る共に、支持突起（３３）を有する前記ロック状態解消維持片に係合させ、
前記ダルマがロックを解消する方向に回転した作動時、前記制御レバーが該ダルマに連動して上昇すると、前記ハンドルロック部材は、ハンドル軸と共に回転する或いは第１固定軸（４）に軸支されているかのいずれかである基端部（３ａ）と、該基端部に連設すると共に前記錠箱のフロントから突出する錠片と係合する腕状係合部（３ｃ）と、該腕状係合部に連設すると共に前記錠片の上辺から突出する先端部（３ｄ）とを有するハンドルカム部材（３）に対するロックを解く方向へと回転し、
一方、前記ロック状態解消維持片は、前記支持突起が上方に位置変位する係合突起に押圧されることにより、前記復帰バネのバネ力に抗して位置変位すると共に、前記係合突起が前記支持突起を越えた瞬間に該復帰バネのバネ力によって戻され、該係合突起は該支持突起に一時的に支持されることにより、前記ハンドルロック部材のロック状態の解消を維持する錠前におけるロック状態解消維持機構。
【請求項２】
請求項１に於いて、ハンドルロック部材を軸支する第１固定軸には、錠片を施錠する錠片用ストッパー片の基端部が同軸上に軸支され、該錠片用ストッパー片とロック状態解消維持片には、第３固定軸で軸支されたロック状態解消維持片用のロック解除レバーが介在し、該ロック解除レバーは、前記錠片用ストッパー片に連動して、復帰バネのバネ力に抗して回転することを特徴とする錠前におけるロック状態解消維持機構。
【請求項３】
請求項２に於いて、ハンドルカム部材に対するハンドルロック部材のロック状態が解消すると、前記ハンドルカム部材は、その腕状係合部でもって錠片用ストッパー片の施錠状態を解くと共に、直接、錠片を箱内に後退動させることを特徴とする錠前におけるロック状態解消維持機構。
【発明の詳細な説明】
【技術分野】
【０００１】
本発明は、錠前におけるロック状態解消維持機構に関する。
【背景技術】
【０００２】
特許文献１及び特許文献２は、出願人が提案したものである。例えば特許文献１は、「錠箱のラッチボルト進退方向の奥行き長を最小限にすること」を主たる目的とし、「扉の縦枠に設けられ閉扉で該縦枠から横方向に錠ボルトを突出するとともに、開扉で該錠ボルトを後退させて収納保持するプッシュプル電気錠であって、開扉方向と同方向の押し引き操作力を扉面に垂直な軸回りの回転操作力として操作軸に入力する変換機構と、錠ボルト突出状態で前記操作軸を回転規制するロック爪と、解錠回転される解錠軸に従動し該ロック爪の回転規制を解除するリンク機構と、前記操作軸の回転で前記縦枠の長手方向にスライドされ斜め穴に係合させた前記錠ボルトを後退方向に従動させるスライドカム板と、前記錠ボルトが突出する方向に該スライドカム板を付勢する付勢手段と、前記錠ボルトを後退位置に保持するラチェット爪と、閉扉にて被施錠体から磁気反発力を受けて作動し該ラチェット爪による前記錠ボルトの保持を解除するリリーサと、前記錠ボルトを突出させた前記スライドカム板のスライド位置で該スライドカム板に押圧されて揺動し傾斜姿勢から垂下姿勢に配置される保持レバーと、垂下配置される該保持レバーの揺動先端に揺動一端が当接して起立配置されるとともに、揺動他端が前記ロック爪に当接し前記ロック爪の係止解除方向の回転で該ロック爪に押圧されて倒れるスイッチレバーと、該スイッチレバーの起立配置でのみ該スイッチレバーに押圧されて電気接点を動作させる施錠検出手段と、を具備したことを特徴とするプッシュプル電気錠」が開示されている。特許文献２も同様の目的を有する。
【０００３】
ところで、例えば特許文献１の段落００３３乃至段落００３６には、本願発明の左右方向に往復動可能なロック状態解消維持片の機能に相当する保持プレート５１が、図８及び図９と共に記載されているが、該保持プレート５１は、支持片１３５を有するスペーサ部材５７、解錠アーム６９及びスライドカム板４３にそれぞれ係脱するように錠ケース１９のフロント側に、スプリング１４と共に支持ピン１３７を介して配設しなければならないので、部品点数が多くなるのみならず、配設が面倒であるという問題点があった。
【先行技術文献】
【特許文献】
【０００４】
【特許文献１】特開２００９−２５６９０７号公報
【特許文献２】特開２００９−２５７０４９号公報
【発明の概要】
【発明が解決しようとする課題】
【０００５】
本願発明の所期の目的は、例えば電気錠に関する特許文献１等と同様に、電気錠を構成する各部材を錠箱の上下方向に合理的に配設し、錠箱の錠片、例えばラッチボルト進退方向の奥行き長を最小限にすることである。第２の目的は、機械的錠前又は電気的錠前のいずれにも適用することができる次世代型の錠前を提供することである。第３の目的は、例えば特許文献１、特許文献２等の次世代型の電気錠として、ハンドルカム部材に対するハンドルロック部材のロック状態が解消した時、左右方向に位置変位するロック状態解消維持片を用いて一時的に該ロック解消状態を保持し、操作部材の操作力により、扉枠側の受け具に係合する錠片を錠箱内に後退動させることができることである。その他の目的は、開扉の際、ハンドルロック部材が操作部材の操作力により回転する該回転力を利用して、一時的にロック解消状態の保持を解くことである。また、縦長錠箱内の内部空間を有効的に活用することである。
【課題を解決するための手段】
【０００６】
本発明は、ハンドルカム部材に対するハンドルロック部材のロック状態が解消すると、扉枠側の受け具に係合する錠片を操作部材の操作力により錠箱内に後退動させることができる錠前におけるロック状態解消維持機構である。
【０００７】
具体的には、本発明のロック状態解消維持機構は、ダルマの回転力を直線運動に変換する動力変換部材を構成する制御レバーの下端部に形成した係合制御部（２４）に、その中央部が第２固定軸（１２）に軸支され、該中央部から上向きの人差し指に相当する部分が第１係合部（１３ｂ）であり、一方、前記第１係合部に対して所定の角度開いた親指に相当する部分が第２係合部（１３ａ）であるハンドルロック部材（１３）の前記第１係合部を係合させ、また前記制御レバーの下端部に形成した係合突起（２６）を、ロック状態解消維持片（３１）を錠箱のフロント方向へ常時付勢するように第３固定軸（４２）とロック解除レバー（４１）を介して間接的に設けられ、或いはロック状態解消維持片側に直接的に設けられたかのいずれかである復帰バネ（３６）のバネ力により施錠位置に戻る共に、支持突起（３３）を有する前記ロック状態解消維持片に係合させ、前記ダルマがロックを解消する方向に回転した作動時、前記制御レバーが該ダルマに連動して上昇すると、前記ハンドルロック部材は、ハンドル軸と共に回転する或いは第１固定軸（４）に軸支されているかのいずれかである基端部（３ａ）と、該基端部に連設すると共に前記錠箱のフロントから突出する錠片と係合する腕状係合部（３ｃ）と、該腕状係合部に連設すると共に前記錠片の上辺から突出する先端部（３ｄ）とを有するハンドルカム部材（３）に対するロックを解く方向へと回転し、一方、前記ロック状態解消維持片は、前記支持突起が上方に位置変位する係合突起に押圧されることにより、前記復帰バネのバネ力に抗して位置変位すると共に、前記係合突起が前記支持突起を越えた瞬間に該復帰バネのバネ力によって戻され、該係合突起は該支持突起に一時的に支持されることにより、前記ハンドルロック部材のロック状態の解消を維持することを特徴とする。
【発明の効果】
【０００８】
（ａ）請求項１に記載の発明は、例えば特許文献１とは異なる構成で、電気錠を構成する各部材を錠箱の上下方向に合理的に配設し、錠箱の錠片、例えばラッチボルト進退方向の奥行き長を最小限にすることができる。
（ｂ）また次世代型の錠前として、機械的錠前又は電気的錠前のいずれにも適用することができる。特に、ハンドルカム部材に対するハンドルロック部材のロック状態が解消した時、左右方向に位置変位するロック状態解消維持片を用いて一時的に該ロック解消状態を保持し、操作部材の操作力により、扉枠側の受け具に係合する錠片を錠箱内に後退動させることができる。
（ｃ）請求項２に記載の発明は、ロック状態解消維持片用のロック解除レバーは、錠片用ストッパー片とロック状態解消維持片との間に介在するので、開扉の際、ハンドルロック部材が操作部材の操作力により回転する該回転力を利用し、一時的にロック解消状態の保持を解くことができる。付言すると、簡単な機構と合理的手段（ロック状態解消維持片）により、本発明の所期の目的を達成することができる。
（ｄ）請求項３記載の発明は、特許文献１等の如く、錠片を、スライド板等を介して間接的に錠箱内へ後退動させないので、錠前の機構をシンプルにすることができる。
【図面の簡単な説明】
【０００９】
図１乃至図８は、本発明の実施形態の一例を示す各説明図である。
【図１】ハンドルカム部材をロックしている初期状態の概略説明図。
【図２】ハンドルカム部材を中心とする各部材の説明図。
【図３】動力変換部材２３を中心とする説明図。
【図４】ロック状態解消維持片３１及び動力変換部材の制御レバーの下端部を中心とする説明図。
【図５】ロック解消状態の概略説明図。
【図６】ロック状態、その中途状態及びロック解消状態の流れを示す説明図（主要部の概略）。
【図７】操作部材の操作力によりハンドルカム部材３が回転した時の作用図。
【図８】解錠状態の概略説明図。
【発明を実施するための最良の形態】
【００１０】
図１は、錠片２が錠箱１のフロント１ａから水平方向へ進出して扉枠ａの受け金具ｂに係合していると共に、ハンドルカム部材３がハンドルカム部材用ロック部材１３の下側の第２係合部１３ａにロックされ、また同時に、前記錠片２がハンドルカム部材用ロック部材１３と同軸１２で軸支された錠片用ストッパー片１１の先端部で施錠されている施錠状態を示す概略説明図である。また図１は、縦長或は細長状錠箱１の内部空間の上方に配設されたダルマラック２０ｂを含む付勢手段２０の付勢力により、該付勢手段２０よりも下方に配設されたダルマ２１がロックを解消する方向に回転する前（いわば施錠位置）にある状態を示す。したがって、ダルマ２１は、図示しないシリンダ錠又はサムターン側の操作力により、図１の状態から、図５の状態を経て、図８のロックを解消する方向へと回転することができる（いわば解錠位置）。
【００１１】
本発明は、機械的錠前又は電気的錠前のいずれにも適用することができるが、例えば機械的錠前を一例にして説明する。もちろん、本実施形態に、図示しない駆動モータ、ソレノイド等の、制御基板、遠隔又は手動操作による施・解錠モート切換え装置等を加味して、電気錠にすることもできる。
【００１２】
まず、錠箱１の錠片２と関りあうハンドルカム部材３、該ハンドルカム部材３に関りあうハンドルカム部材用ロック部材１３及び錠片用ストッパー片１１の構成を説明する。
【００１３】
１は、扉の幅の狭い縦框ｃに取り付けられる錠前Ｘの錠箱で、この錠箱１は、例えば、前記狭縦框の幅に対応して縦長状に形成されている。したがって、実施形態の錠前Ｘは、特許文献１の記載の扉（例えばガラス扉）に適合する。しかし、本発明の錠前Ｘはガラス扉に限定されるものではない。
【００１４】
２は、錠箱１に進退動自在に設けられた錠片（例えば、デッドラッチ、ラッチボルト、錠ボルトなど称される係合部材）で、該錠片２はその後端部２ａにハンドルカム部材３と係合する貫通状あるいは凹所状の不番の係合部を有する。前記ハンドルカム部材３は、その基端部３ａが錠片２よりも下方に位置する第１固定軸４に軸支されている（実施形態によって、ノブやレバーハンドルのハンドル軸）。該基端部３ａの下側には、図示しない内外の操作部材（例えばプッシュ・プルハンドル）の内端部にそれぞれ設けられた内外の突片５，６と係合する短片状第１係合部３ｂが半径外方向に延在している。また、該基端部３ａの上側には、腕状第２係合部３ｃが延在し、該腕状第２係合部３ｃは前述した錠片２の後端部２ａの係合部と貫通状態に係合する。そして、腕状第２係合部３ｃの錠片２から突出する先細り状先端部３ｄには、小さなローラ７が回転自在に設けられている。したがって、ハンドルカム部材３は、ノブやレバーハンドルのハンドル軸と共に回転する、或いは第１固定軸４に軸支されているかのいずれかである基端部３ａと、該基端部に連設すると共に錠箱１のフロント１ａから突出する錠片２と係合する腕状係合部３ｃと、該腕状係合部に連設すると共に前記錠片２の上辺から突出する先端部３ａとを有するものである。
【００１５】
１１は、錠片２よりも多少上方に位置する第２固定軸１２に軸支された錠片用ストッパー片で、この錠片用ストッパー片１１の下辺に形成した下向き弧状の切欠状係合部には、前述したハンドルカム部材３の小ローラ７が係脱する。１３は、錠片用ストッパー片１１と同様に前記第２固定軸１２に軸支されたハンドルカム部材用ロック部材で、このハンドルカム部材用ロック部材１３は、いわば、右手の親指と人差指とを左向きに開いた格好のＬ型状に形成され、錠片２の施錠時、前記右手の親指に相当する、或は左右方向を指向する第２係合部１３ａは、ハンドルカム部材３の先細り状先端部３ｄに係合して該ハンドルカム部材３の回転を阻止する。したがって、ハンドルロック部材１３の形状と前記第１係合部１３ｂ及び第２係合部１３ａの部分について、例えば図１を基準にして説明すると、ハンドルロック部材１３は逆向きのＬ型状に形成され、その中央部が第２固定軸に軸支され、該中央部から若干斜め上向きの人差し指に相当する部分が第１係合部１３ｂであり、一方、前記第１係合部に対して所定の角度開いた若干斜め下向きの親指に相当する部分が第２係合部１３ａである。
【００１６】
そして、前記人差指に相当する、或は上下方向を指向する第１係合部１３ｂの上端部には、水平方向に突出する可動ピン１４が設けられ、該可動ピン１４は後述の動力変換部材の制御バー２３に形成した切欠状係合制御部２４に係合する。  
【００１７】
ここで、説明の便宜上、図７を参照にして、操作部材の一例としてのプッシュブルハンドルの操作力によって、前述の錠片用ストッパー片１１がどのように作動するかについて簡単に説明する。
【００１８】
上記構成に於いて、例えば外側の操作部材を操作すると、外側の突片６がハンドルカム部材３の短片状第１係合部３ｂの側面を押圧し、また同様に、内側の操作部材を操作すると、内側の突片５がハンドルカム部材３の短片状第１係合部３ｂを押圧する。図７では、外側の操作部材の操作力によって外側の突片６が矢印Ａ方向へと水平移動し、これによりハンドルカム部材３が第１固定軸４を支点に反時計方向である矢印Ｂ方向へと回転することになる。
【００１９】
したがって、ハンドルカム部材３に対するロック部材１３が存在しない限り、ハンドルカム部材３の小ローラ７が錠片用ストッパー片１１の弧状切欠状係合部を滑動して該錠片用ストッパー片１１を、第２固定軸１２を支点にして上方へと押し上げるので、錠片用ストッパー片１１の係合先端部は錠片２の上辺に段差状に形成した被係合部から矢印Ｃの上方方向へと離れ、ハンドルカム部材３は矢印Ｂで示す時計方向へと回転可能となり、その結果、錠片２は、ハンドルカム部材３の腕状第２係合部３ｃを介して矢印Ｄの後退方向へと後退動可能である。
【００２０】
しかしながら、図１の施錠状態では、ハンドルカム部材用ロック部材１３の第２係合部１３ａがハンドルカム部材３の先細り状先端部３ｄに係合し、該ハンドルカム部材３の回転を阻止している。そこで、錠片２を施錠状態から解錠状態にするためには、その前提条件として、ハンドルカム部材に対するロック部材のロック状態を解消させる必要がある。
【００２１】
本発明は、（Ａ）ハンドルカム部材３に対するロック部材１３のロック状態を解消させる手段２１、２２、２３、（Ｂ）及びハンドルカム部材３に対するロック部材１３のロック状態が解消させた場合に、一時的にロック部材１３のロック状態の解消を維持する手段３１を錠箱１内に組み込んだことを特徴とする。したがって、本明細書では、該（Ａ）及び（Ｂ）を特定する事項に的を絞って、次の構成を説明する。
【００２２】
さて、２０は縦長錠箱１の内部空間の一番上方に横方向に配設された施錠用付勢手段で、この付勢手段２０は、実施形態では、ラック付勢バネ２０ａと、該ラック付勢バネ２０ａの付勢力により、ピニオン及び複数の係合部を有するダルマ２１を元の回転位置へ戻す方向へと付勢するダルマラック２０ｂとから構成されている。前記付勢手段２０及びダルマ２１の構成・作用は、周知事項（特許文献１、特許文献２等）なので、ここでは詳細な説明を割愛する。
【００２３】
２２、２３は、ダルマ２２の回転力を直線運動に変換する動力変換部材で、実施形態では、縦長錠箱１の内部空間を有効的に活用するために、ダルマ２１の突片状押圧部２１ａに係合すると共に、その中央部が上方固定軸２８に軸支された回転レバー２２と、該回転レバーと共働して上下方向に移動する制御レバー２３とから成る。付言すると、前記回転レバー２２は、例えば右手の親指を上方に向け、一方、人差し指を左向きに向けた格好のＬ型に形成され、前記親指に相当する山形状係合受け部２２ａは前述したダルマ２２の突片状押圧部２１ａと係合可能であり、また前記人差し指に相当する係合碗部２２ｂは、制御レバー２３の半円形状或はリング状の連係部２５に係合する係合ピン２２ｃを有する。
【００２４】
また前記制御レバー２３は、例えば図３で示すように、垂直板部２３ａと水平板部２３ｂを有し、前記垂直板部２３ａの下端部には、横方向に湾曲状に切欠された係合制御部２４が形成され、該係合制御部２４は、上述したハンドルカム部材用ロック部材１３の第１係合部１３ｂ（実施形態では可動ピン１４）が係合する。そして、前記制御レバー２３の垂直板部２３ａの上端部には、前述の半円形状或はリング状の連係部２５が連設形成され、該連係部２５は回転レバー２２の係合ピン２２ｃと係合している。であるから、回転レバー２２が上方固定軸２６を支点に図３の矢印Ａ方向に回転するならば、制御レバー２３は該回転レバー２２に共働して図３の矢印Ｂ方向へ上昇可能である。
【００２５】
ところで、実施形態では、例えば図４で示すように、さらに、前記制御レバー２３の垂直板部２３ａの下端部の切欠状係合制御部２４の付近に係合突起２６を設け、該下端部に設けた或は形成した係合突起２６を、復帰バネ３６のバネ力により施錠位置に戻ると共に、矩形状開口部３２を形成する枠状フレーム部分３１ａに、前記開口部３２内へ水平方向にやや突出する支持突起３３を有する一つのロック状態解消維持片３１に係合させている。このロック状態解消維持片３１の前記枠状フレーム部分３１ａに横方向に連設する非開口部分３１ｂには、さらに、小孔状の被係合部３５が形成され、該被係合部３５には、逆向き「く」の字形状のロック解除レバー４１の上端部４１ａが係合しており、本実施形態では、該ロック解除レバー４１の中央部を軸支する第３固定軸４２に前述した復帰バネ３６の中心部が巻装されている。
【００２６】
なお、復帰バネ３６の配設箇所は、第３固定軸４２及びロック解除レバー４１ではなく、例えばロック状態解消維持片３１側に配設することも可能である。また、ロック解除レバー４１の下端部４１ｂは錠片用ストッパー片１１の先端部の上辺に係合しており、錠片用ストッパー片１１に連動して同方向に回転可能である。
【００２７】
ここで作用について説明する。まず図５はロック解消状態の概略説明図である。各部材２０、２１、２３、１３、３１の動作は、図５の符号Ａ乃至Ｅの如くである。すなわち、ダルマ２１が図示しないシリンダ錠又はサムターン側の操作力によりロックを解消する方向Ｂに回転した作動時、動力変換部材の制御レバー２３が該ダルマに連動して矢印Ｃ方向へ上昇すると、ハンドルロック部材１３は、前記制御レバー２３の係合制御部２４の傾斜面２４ａ及びその第１係合部１３ｂの可動ピン１４を介して、ハンドルカム部材３のロックを解く矢印Ｄ方向（時計方向）へと回転し、その第２係合部１３ａがハンドルカム部材３の先細り状先端部３ｄから外れる。
【００２８】
一方、維持片３１は、その支持突起３３が上方に位置変位する制御レバー２３の係合突起２６に押圧されることにより、その復帰バネ３６のバネ力に抗して矢印Ｅの右方向へ位置変位すると共に、該係合突起２６が該支持突起３３を越えた瞬間に、該復帰バネ３６のバネ力によって矢印Ｅの左方向へと戻され、該係合突起２６は該支持突起３３に一時的に支持されることにより、ロック部材１３のロック状態の解消を維持する。なお、復帰バネ３６は、一つのロック状態解消維持片３１を錠箱１のフロント１ａ方向に常時付勢している。図６は、ロック状態、その中途状態及びロック解消状態の流れを示す主要部の説明図である。
【００２９】
次に、図７は操作部材の操作力によりハンドルカム部材３が回転した時の作用図、図８解錠状態の概略説明図である。この作用については既に説明した通りであるが、本発明では、錠片用ストッパー片１１に連動して、その復帰バネ３６のバネ力に抗して回転するロック解除レバー４１が介在するので、図６で示すように維持片３１の支持突起３３に乗っかった係合突起２６は、一時的にロック部材１３のロック状態の解消を維持しているものの、錠片用ストッパー片１１の先端部の上辺に押し上げられて矢印で示す時計方向へと回転すると、維持片３１は矢印で示す右方向へ復帰バネ３６のバネ力に抗して一旦スライドするので、前記係合突起２６は支持突起３３から外され、その結果、制御レバー２３は下方へと下降する。したがって、係合突起２６は、維持片３１の矩形状開口３２の下方領域に戻る。そして、閉扉時、錠片２は付勢手段２０の付勢力により、施錠位置へと自動的に戻る。
【実施例】
【００３０】
実施形態の動力変換部材は、ダルマ２１の突片状押圧部２１ａに係合すると共に、その中央部が上方固定軸２８に軸支された回転レバー２２と、該回転レバーと共働して上下方向に移動する制御レバー２３とから成るが、該実施形態に限定するものではなく、発明の目的を逸脱しない範囲に於いて、ピニオン、ラック、リンク等を用いた動力変換機構に置換することができる。
【００３１】
また、ロック状態解消維持片３１を初期位置へと戻す復帰バネ３６の配設位置は、発明の本質的事項ではなく、例えばロック状態解消維持片３１の枠状フレーム部分３１ａの外側の右横に配設することもできる、また、制御レバー２３の形態も適宜に設計変更し得る事項である。また本実施形態では、操作部材の一例としてのプッシュブルハンドルを挙げたが、もちろん、操作部材は図示しないレバーハンドルやノブであっても良い。さらに、ハンドルロック部材をロック方向に付勢する不番のバネは、適宜に設けることができる。
【００３２】
なお、錠前Ｘの細部的事項、例えばプッシュプルハンドル、レバーハンドル等の操作部材、該操作部材用復帰バネ、錠片用案内手段、ロック状態解消維持片用案内手段、固着具等は省略してある。
【産業上の利用可能性】
【００３３】
本発明は、錠前や建具の分野で利用される。
【符号の説明】
【００３４】
Ｘ…錠前、１…錠箱、２…錠片、３…ハンドルカム部材、５…内側の突片、６…外側の突片、７…ローラ、１１…錠片用ストッパー片、１３…ハンドルロック部材、１３ａ…第２係合部、１３ｂ…第１係合部、２０…付勢手段、２１…ダルマ、２２…回転レバー、２３…制御レバー、２４…係合制御部、２６…係合突起、３１…ロック状態解消維持片、３２…開口部、３３…支持突起、３６…復帰バネ、４１…ロック解除レバー。
【図１】
0005917042.tif 000002
【図２】
0005917042.tif 000003
【図３】
0005917042.tif 000004
【図４】
0005917042.tif 000005
【図５】
0005917042.tif 000006
【図６】
0005917042.tif 000007
【図７】
0005917042.tif 000008
【図８】
0005917042.tif 000009